(57)【特許請求の範囲】
【請求項１】
無線通信システムのリモートノードによるランダムアクセスチャネルを介して信号を送信するための方法であって、
順方向リンクを介して受信した第１の信号を利用して、逆方向チャネル状態を推定する過程と、
前記逆方向チャネル状態と閾値を比較して、前記ランダムアクセスチャネルを介して第２の信号を送信するか否かを決定する過程と、
前記逆方向チャネル状態が前記閾値よりも大きい場合、前記ランダムアクセスチャネルを介して前記第２の信号を送信する過程と、
前記逆方向チャネル状態が前記閾値よりも大きくない場合、前記ランダムアクセスチャネルを介した前記第２の信号の送信を停止する過程と、
を含むことを特徴とする方法。
【請求項２】
前記逆方向チャネル状態を推定する過程は、
順方向リンクを介して受信した信号の電力レベル、順方向リンクを介して受信した信号の経路減衰、順方向リンクを介して受信した信号の信号対雑音比（ＳＮＲ）、順方向チャネル利得のうち、少なくとも一つを利用して前記逆方向チャネル状態を推定する過程を含むことを特徴とする請求項１に記載の方法。
【請求項３】
前記逆方向チャネル状態を推定する過程は、
順方向リンクを介して受信した信号の電力レベルを利用して、逆方向チャネルのフェージング値を算出する過程を含むことを特徴とする請求項１に記載の方法。
【請求項４】
ホストノードから少なくとも１つの閾値を受信する過程
をさらに含むことを特徴とする請求項１に記載の方法。
【請求項５】
前記ホストノードから少なくとも二つの閾値が提供された場合、サービスの品質及びチャネルの統計的な特性のうち少なくとも一つを考慮して、一つの閾値を選択する過程を含むことを特徴とする請求項４に記載の方法。
【請求項６】
前記ホストノードから少なくとも二つの閾値が提供された場合、前記ランダムアクセスチャネルの遅延時間及びチャネルの統計的な特性のうち少なくとも一つを考慮して、一つの閾値を選択する過程を含むことを特徴とする請求項４に記載の方法。
【請求項７】
サービスの品質及びチャネルの統計的な特性のうち少なくとも一つを利用して、前記閾値を決定する過程をさらに含むことを特徴とする請求項１に記載の方法。
【請求項８】
前記ランダムアクセスチャネルの遅延時間及びチャネルの統計的な特性のうち少なくとも一つを利用して、前記閾値を決定する過程をさらに含むことを特徴とする請求項１に記載の方法。
【請求項９】
前記ランダムアクセスチャネルを介して前記第２の信号を送信する過程は、
前記ランダムアクセスチャネルを介して前記第２の信号を送信すると決定することに応じ、逆方向チャネル利得に基づいて送信電力を決定する過程と、
前記決定した送信電力を使用して、前記ランダムアクセスチャネルを介して前記第２の信号を送信する過程とを含むことを特徴とする請求項１に記載の方法。
【請求項１０】
前記送信電力を決定する過程は、
電波減衰と瞬間的逆方向チャネル利得とに基づいて送信電力を決定する過程を含むことを特徴とする請求項９に記載の方法。
【請求項１１】
ランダムアクセスチャネルを介して信号を送信するように構成されたリモートノード装置であって、
第１の信号を受信する受信装置と、
前記受信装置で順方向リンクを介して受信した前記第１の信号を利用して、逆方向チャネル状態を推定するチャネル推定部と、
前記逆方向チャネル状態と閾値を比較して、前記ランダムアクセスチャネルを介して第２の信号を送信するか否かを決定する制御部と、
前記逆方向チャネル状態が前記閾値よりも大きい場合、前記ランダムアクセスチャネルを介して前記第２の信号を送信し、前記逆方向チャネル状態が前記閾値よりも大きくない場合、前記ランダムアクセスチャネルを介した前記第２の信号の送信を停止する送信装置とを備えて構成されることを特徴とする装置。
【請求項１２】
前記チャネル推定部は、前記受信装置で順方向リンクを介して受信した信号の電力レベル、順方向リンクを介して受信した信号の経路減衰、順方向リンクを介して受信した信号の信号対雑音比（ＳＮＲ）、順方向チャネル利得のうち、少なくとも一つを利用して前記逆方向チャネル状態を推定するように構成されたことを特徴とする請求項１１に記載の装置。
【請求項１３】
前記チャネル推定部は、前記受信装置で順方向リンクを介して受信した信号の電力レベ
ルを利用して、逆方向チャネルのフェージング値を算出するように構成されたことを特徴とする請求項１１に記載の装置。
【請求項１４】
前記制御部は、ホストノードから少なくとも１つの閾値を受信するように構成された受信装置をさらに備えることを特徴とする請求項１１に記載の装置。
【請求項１５】
前記制御部は、前記ホストノードから少なくとも二つの閾値が提供された場合、サービスの品質及びチャネルの統計的な特性のうち少なくとも一つを考慮して、一つの閾値を選択するように構成されたことを特徴とする請求項１４に記載の装置。
【請求項１６】
前記制御部は、前記ホストノードから少なくとも二つの閾値が提供された場合、前記ランダムアクセスチャネルの遅延時間及びチャネルの統計的な特性のうち少なくとも一つを考慮して、一つの閾値を選択するように構成されたことを特徴とする請求項１４に記載の装置。
【請求項１７】
前記制御部は、サービスの品質及びチャネルの統計的な特性のうち少なくとも一つを利用して前記閾値を決定するように構成されたことを特徴とする請求項１１に記載の装置。
【請求項１８】
前記制御部は、前記ランダムアクセスチャネルの遅延時間及びチャネルの統計的な特性のうち少なくとも一つを利用して前記閾値を決定するように構成されたことを特徴とする請求項１１に記載の装置。
【請求項１９】
前記ランダムアクセスチャネルを介して前記第２の信号を送信すると決定することに応じ、逆方向チャネル利得に基づいて送信電力を決定する電力制御部をさらに備え、
前記送信装置は、前記電力制御部で決定した送信電力を使用して、前記ランダムアクセスチャネルを介して前記第２の信号を送信するように構成されたことを特徴とする請求項１１に記載の装置。
【請求項２０】
前記電力制御部は、電波減衰と瞬間的逆方向チャネル利得とに基づいて送信電力を決定することを特徴とする請求項１９に記載の装置。
【発明の詳細な説明】
【技術分野】
【０００１】
本発明は、無線通信システムにおける任意接近チャネル（ＲＡＣＨ）送信装置及び方法に関し、特に、無線通信システムのリモートノードで逆リンクチャネル情報を考慮して、任意接近チャネルを介して信号を送信するための装置及び方法に関する。
【背景技術】
【０００２】
無線通信システムは、任意バースト型データを送信するための逆方向共通チャネルとして任意接近チャネルを用いる。前記任意接近チャネルは、無線通信システムにおいてリモートノードが逆方向リンクに短いバースト型データを送信できるように構成されたチャネルのことを意味する。例えば、３ＧＰＰ標準の無線通信システムは、プリアンブルから構成された任意接近チャネルを用いる。他の例として、３ＧＰＰ２標準の無線通信システムは、プリアンブルと短いメッセージとから構成された任意接続チャネルを用いる。
【０００３】
リモートノードが任意接近チャネルを介して信号を送信する場合、ホストノードは、任意接近チャネルを介して前記リモートノードから受信した信号が一定水準の検出確率及び誤警報確率条件を満たすことを希望する。これにより、リモートノードは、任意接近チャネルを介して送信する信号の送信電力を高く設定しなければならないという問題が発生する。また、リモートノードの最大送信電力とフェージングにより逆方向リンクのサービス領域が制限されるという問題が発生できる。例えば、プリアンブルの長さが１ｍｓで任意接続チャネル送信方式を使用するリモートノードの最大送信電力が２５０ｍＷである場合、逆方向サービス領域は、２Ｋｍに制限される。前記リモートノードは、プリアンブルの長さを増やして逆方向サービス領域を広めることができる。しかしながら、プリアンブルの長さが長くなる場合、前記プリアンブルによるオーバーヘッドが増加してシステムの容量が減少するという問題が発生する。
【先行技術文献】
【特許文献】
【０００４】
【特許文献１】韓国公開特許第１０−２００８−００１６３６７号公報
【発明の概要】
【発明が解決しようとする課題】
【０００５】
そこで、本発明の目的は、無線通信システムにおける任意接近チャネルの送信に応じるリモートノードの電力消費を減らすための装置及び方法を提供することにある。
本発明の他の目的は、無線通信システムにおける任意接近チャネルの送信により制限された逆方向リンクのサービス領域を広めるための装置及び方法を提供することにある。
本発明のさらに他の目的は、無線通信システムにおける逆方向リンクのチャネル状態を考慮して、任意接近チャネルの送信を選択的に行うための装置及び方法を提供することにある。
【０００６】
本発明のさらに他の目的は、無線通信システムのリモートノードで逆方向リンクのチャネル状態を考慮して、任意接近チャネルの送信を選択的に行うための装置及び方法を提供することにある。
【０００７】
本発明のさらに他の目的は、無線通信システムのリモートノードで逆方向リンクのチャネル利得を考慮して、任意接近チャネルを送信するための送信電力を決定するための装置及び方法を提供することにある。
【課題を解決するための手段】
【０００８】
本発明の目的を達成するための本発明の第１見地によれば、時分割複信方式を使用する無線通信システムのリモートノードで任意接近チャネルを介して信号を送信するための方法は、順方向リンクを介して受信した信号を利用して、逆方向チャネル状態を推定する過程と、前記逆方向チャネル状態を考慮して、任意接近チャネルを介して信号を送信するか否かを決定する過程と、任意接近チャネルを介して信号を送信すると決定した場合、前記任意接近チャネルを介して信号を送信する過程とを含むことを特徴とする。
【０００９】
本発明の第２見地によれば、時分割複信方式を使用する無線通信システムにおける任意接近チャネルを介して信号を送信するためのリモートノード装置は、信号を受信する受信装置と、前記受信装置で順方向リンクを介して受信した信号を利用して、逆方向チャネル状態を推定するチャネル推定部と、前記逆方向チャネル状態を考慮して、任意接近チャネルを介して信号を送信するか否かを決定する制御部と、前記制御部で任意接近チャネルを介して信号を送信すると決定した場合、前記任意接近チャネルを介して信号を送信する送信装置とを備えて構成されることを特徴とする。
【発明の効果】
【００１０】
本発明によれば、無線通信システムのリモートノードで逆方向リンクのチャネル状態を考慮して、任意接近チャネルの送信を選択的に行なうことによって、逆方向接近チャネルの成功率を向上させることができ、逆方向接近チャネルを介して信号を送信するための端末の電力消費を減らすことができ、最大送信電力に制限された逆方向リンクのサービス領域を広めることができるという利点がある。
【図面の簡単な説明】
【００１１】
【図１】本発明の実施の形態に係る無線通信システムにおけるアップリンクＲＡＣＨを介した信号送信構造を示す図である。
【図２】本発明の実施の形態に係るホストノードでリモートノードのＲＡＣＨを介した信号送信を制御するための手順を示す図である。
【図３】本発明の実施の形態に係るリモートノードでＲＡＣＨを介して信号を送信するための手順を示す図である。
【図４】本発明の他の実施の形態に係るリモートノードでＲＡＣＨを介して信号を送信するための手順を示す図である。
【図５】本発明の実施の形態に係るＲＡＣＨを介して信号を送信するためのリモートノードのブロック構成を示す図である。
【図６】本発明の実施の形態に係るＲＡＣＨを介して送信する接近プローブ（ＡＰ）の構成を示す図である。
【発明を実施するための形態】
【００１２】
以下、本発明の好ましい実施の形態を添付した図面を参照して詳細に説明する。下記で本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００１３】
以下、本発明は、無線通信システムにおいて逆方向チャネル状態を考慮して、任意接近チャネル（ＲＡＣＨ）送信を行うための技術について説明する。
以下、本発明において無線通信システムは、時分割複信（ＴＤＤ）方式を使用すると仮定する。
【００１４】
以下の説明において任意接近チャネルは、前記任意接近チャネルの構成方式に関係なしで適用できる。例えば、前記任意接近チャネルは、プリアンブルのみを含むように構成される。他の例として、前記任意接近チャネルは、プリアンブルと短いメッセージとを含むように構成されることができる。
【００１５】
以下の説明においてホストノードは、順方向リンクを介して信号を送信するノードを示し、リモートノードは、逆方向リンクを介して信号を送信するノードを示す。
以下の説明においてホストノードは、リモートノードが順方向リンクのチャネル状態を確認することのできるチャネル（例：パイロットチャネル）を持続的又は周期的に送信すると仮定する。また、時分割複信方式を使用する場合、チャネル相互関係特性により、順方向チャネルと逆方向チャネルの状態が同じであると仮定することができる。これにより、以下の説明においてリモートノードは、順方向リンクのチャネル状態値を逆方向リンクのチャネル状態値として活用すると仮定する。
【００１６】
リモートノードは、下記図１に示すように任意接近チャネルを介して信号を送信する。
図１は、本発明の実施の形態に係る無線通信システムにおけるアップリンクＲＡＣＨを介した信号送信構造を示している。
前記図１に示すように、順方向チャネルは、接近プリアンブル捕捉表示チャネル（ＡＰ−ＡＩＣＨ）であると仮定し、逆方向チャネルは、任意接近チャネルであると仮定する。
図示のように、リモートノードは、通信の初期同期のためにプリアンブルを逆方向リンクの任意接近チャネルを介して送信する。このとき、前記リモートノードは、プリアンブルを含む接近プローブＡＰ０  １００を前記任意接近チャネルを介して送信する。例えば、前記リモートノードは、下記図６の（ａ）に示すように構成される接近プローブを任意接近チャネルを介して送信する。
【００１７】
前記リモートノードは、ＴＰ−Ｐ１０２時間の間にホストノードから前記ＡＰ０  １００に対する応答信号を受信しない場合、前記ＡＰ０  １００より送信電力を△Ｐ１０４分増加させたＡＰ１  １１０を任意接近チャネルを介して再送信する。このとき、前記ＡＰ１  １１０は、前記ＡＰ０  １００と同じシグナチャーから構成されたプリアンブルを含む。
【００１８】
ホストノードは、任意接近チャネルを介してＡＰ１  １１０を受信した場合、ＴＰ−ＡＩ１２０時間の間に待機した後、前記ＡＰ１  １１０と同じシグナチャーをＡＩＣＨ１３０を介して前記リモートノードに送信する。
【００１９】
図示していないが、前記リモートノードは、ＡＩＣＨ１３０を介して提供された信号を復調して、シグナチャーと捕捉確認子（ＡＩ）とを確認する。万一、前記捕捉確認子を介してホストノードのＡＣＫが確認される場合、前記リモートノードは、ｔｐ−ｍａｇ時間分だけ待機した後、逆方向任意接近チャネルを介して逆方向データを含むメッセージを前記ホストノードに送信する。例えば、前記リモートノードは、前記図６の（ｂ）に示すように構成されるメッセージを含む接近プローブを任意接近チャネルを介して送信する。このとき、前記リモートノードは、前記ＡＰ１  １１０に相応する送信電力で前記接近プローブを送信する。
【００２０】
上述したように、リモートノードは、逆方向チャネル状態を考慮して任意接近チャネルを送信することができる。すなわち、前記リモートノードは、逆方向チャネル状態が基準値以上である場合にのみ、任意接近チャネルを送信することができる。前記基準値は、リモートノードのサービスのＱｏＳ及びチャネルの統計的な特性を考慮して決定される。ここで、前記チャネルの統計的な特性は、無線チャネルのドップラー周波数と受信信号対雑音比の平均及び受信電力レベルの平均のうち、少なくとも一つを含む。
【００２１】
前記基準値は、リモートノード又はホストノードで決定できる。例えば、ホストノードで前記基準値を決定する場合、前記ホストノードは、下記図２に示すようにリモートノードのサービスのＱｏＳを考慮して、前記基準値を決定することができる。
図２は、本発明の実施の形態に係るホストノードでリモートノードのＲＡＣＨを介した信号送信を制御するための手順を示している。
前記図２に示すように、前記ホストノードは、ステップ２０１にてリモートノードに提供するサービスのＱｏＳを確認する。
【００２２】
以後、前記ホストノードは、ステップ２０３に進んで前記リモートノードのサービスのＱｏＳを考慮して、前記リモートノードが任意接近チャネルを送信するか否かを判断するための基準値を決定する。例えば、ホストノードがリモートノードにリアルタイムサービスを提供する場合、前記ホストノードは、前記リモートノードの遅延を減らすために、前記基準値を低く設定する。他の例として、ホストノードがリモートノードに非リアルタイムサービスを提供する場合、前記ホストノードは、前記基準値を高く設定する。
【００２３】
前記基準値を決定した後、前記ホストノードは、ステップ２０５に進んで前記決定した基準値を前記リモートノードに送信する。例えば、前記ホストノードは、放送チャネルまたは専用チャネルを介して前記基準値情報を送信する。
以後、前記ホストノードは、本アルゴリズムを終了する。
上述した実施の形態においてホストノードは、リモートノードが任意接近チャネルの送信を行うか否かを判断する一つの基準値を決定する。
【００２４】
他の実施の形態においてホストノードは、チャネル条件に応じるいくつかの基準値を決定することもできる。例えば、前記ホストノードは、下記の表１のように、ドップラー周波数に応じるいくつかの基準値を決定する。
【００２５】
【表１】
0005951925.tif 000002
【００２６】
前記表１に示すように、ホストノードは、リモートノードに提供するサービスのＱｏＳとチャネルのドップラー周波数に応じるいくつかの基準値とを決定して、リモートノードに送信する。このとき、前記ホストノードは、リアルタイムサービスより時間遅延に少なく敏感な非リアルタイムサービスの基準値を高く設定する。また、前記ホストノードは、チャネルのドップラー周波数が高いほど基準値を高く設定する。
【００２７】
リモートノードは、ホストノードから提供された基準値のうち、前記ホストノードと通信しようとするサービスのＱｏＳ及びチャネルのドップラー周波数を考慮して、基準値を設定する。また、前記リモートノードは、サービスのＱｏＳが変わるか、又はチャネルのドップラー周波数が変わる場合、前記表１において該当ＱｏＳとドップラー周波数に応じる基準値に変更することもできる。
【００２８】
さらに他の実施の形態において、ホストノードは、ＱｏＳに応じる任意接近送信が許容される時間の限界をリモートノードに送信し、前記リモートノードは、前記時間の限界内で任意接近チャネルを送信しつつ送信電力を最適化するための基準値を変更することもできる。例えば、前記ホストノードは、任意接近チャネルの遅延性能とチャネルの統計的な特性とを利用して、リモートノードが任意接近チャネルの送信を行うか否かを判断する一つの基準値を下記の表２のように決定する。他の例として、下記の表２のような基準値は標準やチャネル環境に応じるシミュレーションを介して前記リモートノードで決定することもできる。ここで、前記表２の任意接近チャネルの遅延性能は、任意接近チャネルの平均遅延を用い、チャネルの統計的な特性は、チャネルのドップラー周波数を用いると仮定する。
【００２９】
【表２】
0005951925.tif 000003
【００３０】
リモートノードは、サービスの特性による遅延性能が決定されると、チャネルのドップラー周波数に応じて前記表２を利用して基準値を変更することもできる。
無線通信システムにおいて時分割複信方式を使用する場合、順方向リンクと逆方向リンクとは、同じ周波数を使用する。これにより、リモートノードは、下記図３に示すように順方向リンク信号の強度を介して推定した逆方向チャネル状態を考慮して、任意接近チャネルを送信する。ここで、前記リモートノードは、受信信号の電力レベル、受信信号の経路減衰、受信信号の信号対雑音比（ＳＮＲ）、順方向チャネル利得などを利用して、逆方向チャネル状態を推定することができる。以下の説明において、リモートノードは、受信信号の電力レベルを利用して逆方向チャネル状態を推定すると仮定して説明する。
図３は、本発明の実施の形態に係るリモートノードでＲＡＣＨを介して信号を送信するための手順を示している。
【００３１】
前記図３に示すように、前記リモートノードは、ステップ３０１にてホストノードが送信した順方向信号が受信されているか否かを確認する。
順方向信号が受信される場合、前記リモートノードは、ステップ３０３に進んで前記ホストノードから受信した順方向信号の電力を測定する。
【００３２】
以後、前記リモートノードは、ステップ３０５に進んで任意接近チャネルを送信するか否かを判断するための基準値を確認する。例えば、前記リモートノードは、ユーザが要求するサービスのＱｏＳ及びチャネルの統計的な特性を考慮して、任意接近チャネルの送信有無を判断するための基準値を決定する。他の例として、前記リモートノードは、ホストノードから任意接近チャネルの送信有無を判断するための基準値を提供されることもできる。さらに他の例として、前記リモートノードは、予め決まった任意接近チャネルの送信有無を判断するための基準値を確認することもできる。さらに他の例として、前記リモートノードは、通信を使用するチャネルの統計的な特性を考慮して、いくつかの基準値のうちの何れか一つの基準値を選択することもできる。このとき、前記リモートノードは、チャネルの統計的な特性であるドップラー周波数を考慮して基準値を選択することもできる。
【００３３】
任意接近チャネル送信遂行有無を判断するための基準値を確認した後、前記リモートノードは、ステップ３０７に進んで前記ステップ３０３にて測定した順方向信号の電力と前記ステップ３０５にて確認した基準値とを比較する。
前記順方向信号の電力が前記基準値より小さいか、又は同じである場合、前記リモートノードは、逆方向チャネル状態が任意接近チャネルの送信に適していないと判断する。これにより、前記リモートノードは、任意接近チャネルの送信を行わない。
【００３４】
一方、前記順方向信号の電力が前記基準値より大きい場合、前記リモートノードは、逆方向チャネル状態が任意接近チャネルの送信に適していると判断する。これにより、前記リモートノードは、ステップ３０９に進んで逆方向任意接近チャネルを介して信号を送信する。
以後、前記リモートノードは、本アルゴリズムを終了する。
【００３５】
上述したように、リモートノードが逆方向チャネル状態を考慮して任意接近チャネルの送信を行う場合、前記リモートノードは、開ループを介して任意接近チャネルの送信に使用する電力を決定することができる。
【００３６】
また、前記リモートノードは、ホストノードで逆方向リンクの電力を容易に推定できるように、一定の大きさの電力で任意接近チャネルの送信を行うこともできる。
また、前記リモートノードは、下記図４に示すように、逆方向チャネルの利得を考慮して、任意接近チャネルの送信に使用する電力を決定することもできる。
【００３７】
図４は、本発明の他の実施の形態に係るリモートノードでＲＡＣＨを介して信号を送信するための手順を示している。
【００３８】
前記図４に示すように、前記リモートノードは、ステップ４０１にてホストノードが送信した順方向信号が受信されているか否かを確認する。
順方向信号が受信される場合、前記リモートノードは、ステップ４０３に進んで前記ホストノードから受信した順方向信号の電力を測定する。
【００３９】
以後、前記リモートノードは、ステップ４０５に進んで任意接近チャネル送信遂行有無を判断するための基準値を確認する。例えば、前記リモートノードは、ユーザが要求するサービスのＱｏＳ及びチャネルの統計的な特性を考慮して、任意接近チャネル送信遂行有無を判断するための基準値を決定する。他の例として、前記リモートノードは、ホストノードから任意接近チャネル送信遂行有無を判断するための基準値を提供されることもできる。さらに他の例として、前記リモートノードは、予め決まった任意接近チャネル送信遂行有無を判断するための基準値を確認することもできる。また、さらに他の例として、前記リモートノードは、通信を使用するチャネルの統計的な特性を考慮して、いくつかの基準値のうちの何れか一つの基準値を選択することもできる。このとき、前記リモートノードは、チャネルの統計的な特性であるドップラー周波数を考慮して、基準値を選択することもできる。
【００４０】
任意接近チャネル送信遂行有無を判断するための基準値を確認した後、前記リモートノードは、ステップ４０７に進んで前記ステップ４０３にて測定した順方向信号の電力と前記ステップ４０５にて確認した基準値とを比較する。
前記順方向信号の電力が前記基準値より小さいか、又は同じである場合、前記リモートノードは、逆方向チャネル状態が任意接近チャネルの送信に適しないと判断する。これにより、前記リモートノードは、任意接近チャネルを送信しない。
【００４１】
一方、前記順方向信号の電力が前記基準値より大きい場合、前記リモートノードは、逆方向チャネル状態が任意接近チャネルの送信に適していると判断する。これにより、前記リモートノードは、ステップ４０９に進んで逆方向チャネルの利得を確認する。
以後、前記リモートノードは、ステップ４１１に進んで前記ステップ４０９にて確認した逆方向チャネル利得を考慮して、任意接近チャネルの送信に使用する送信電力を決定する。例えば、前記リモートノードは、逆方向チャネル利得に反比例するように、前記任意接近チャネルの送信に使用する送信電力を決定する。他の例として、前記リモートノードは、電波減衰に応じる変数と瞬間的逆方向チャネル利得の差を前記任意接近チャネルの送信に使用する送信電力として決定することができる。さらに他の例としては、前記リモートノードは、逆方向チャネルの瞬間的な利得に関係なく、任意接近チャネルの送信に使用する送信電力を一定のレベルに維持することもできる。ここで、一定のレベルは、ホストノードとリモートノードとの間の平均経路減衰と比例するように設定されることができる。
【００４２】
前記任意接近チャネルの送信に使用する送信電力を決定した後、前記リモートノードは、ステップ４１３に進んで逆方向任意接近チャネルを介して信号を送信する。このとき、前記リモートノードは、前記ステップ４１１にて決定した送信電力で信号を送信する。
以後、前記リモートノードは、本アルゴリズムを終了する。
以下の説明は、逆方向チャネル状態を考慮して任意接近チャネルの送信を行うためのリモートノードの構成について説明する。このとき、前記リモートノードは、チャネルの統計的な特性でドップラー周波数を使用すると仮定する。
【００４３】
図５は、本発明の実施の形態に係るＲＡＣＨを介して信号を送信するためのリモートノードのブロック構成を示している。
前記図５に示すように、リモートノードは、送受切り替え器５００、受信装置５１０、チャネル推定部５２０、ドップラー周波数推定部５３０、制御部５４０及び送信装置５５０を備えて構成される。
前記送受切り替え器５００は、デュプレックス方式に従って前記送信装置５５０から提供された送信信号をアンテナを介して送信し、アンテナからの受信信号を受信装置５１０に提供する。
【００４４】
前記受信装置５１０は、前記送受切り替え器５００から提供された信号からデータを復元する。例えば、前記受信装置５１０は、ＲＦ受信ブロック、復調ブロック、チャネル復号ブロックなどを含んで構成される。前記ＲＦ受信ブロックは、フィルタ及びＲＦ前処理器などから構成される。前記復調ブロックは、無線通信システムが直交周波数分割多重方式を使用する場合、各副搬送波に載せられたデータを抽出するためのＦＦＴ演算器などから構成される。前記チャネル復号ブロックは、復調器、デインターリーバ及びチャネルデコーダなどから構成される。
【００４５】
前記チャネル推定部５２０は、前記受信装置５１０から提供された受信信号を利用して、順方向のチャネルを推定する。例えば、前記チャネル推定部５２０は、順方向信号のパイロットを利用して受信信号の受信電力を推定する。
【００４６】
前記ドップラー周波数推定部５３０は、前記受信装置５１０から提供された受信信号を利用して、ホストノードとリモートノードとの間のドップラー周波数を推定する。すなわち、前記ドップラー周波数推定部５３０は、順方向チャネルを介して受信された信号の変化を介して、ドップラー周波数を推定する。
【００４７】
前記制御部５４０は、前記チャネル推定部５２０から提供された順方向リンクのチャネルの状態情報に基づいて、任意接近チャネルを送信するか否かを決定する。すなわち、前記制御部５４０は、前記チャネル推定部５２０で推定した受信信号の電力と基準値とを比較して、任意接近チャネルを送信するか否かを決定する。例えば、前記チャネル推定部５２０で推定した受信信号の電力が基準値より小さいか、又は同じである場合、前記制御部５３０は、逆方向チャネル状態が任意接近チャネルの送信に適していないと判断する。これにより、前記制御部５３０は、任意接近チャネルの送信を行わないように前記送信装置５５０を制御する。他の例として、前記チャネル推定部５２０で推定した受信信号の電力が前記基準値より大きい場合、前記制御部５４０は、逆方向チャネル状態が任意接近チャネルの送信に適していると判断する。これにより、前記制御部５４０は、任意接近チャネルの送信を行うように前記送信装置５５０を制御する。
【００４８】
このとき、前記制御部５４０は、ホストノードから提供された基準値を利用して、任意接近チャネルを送信するか否かを決定する。他の例として、前記制御部５４０は、ユーザが要求するサービスのＱｏＳを考慮して基準値を算出することもできる。さらに他の例として、前記制御部５４０は、固定された基準値を利用することもできる。さらに他の例として、前記制御部５４０は、サービスのＱｏＳと前記ドップラー周波数推定部５３０で推定したドップラー周波数とを利用して、前記表１から該当基準値を選択することもできる。さらに他の例として、前記制御部５４０は、サービスのＱｏＳに応じる遅延特性及び前記ドップラー周波数推定部５３０で推定したドップラー周波数を利用して、前記表２から該当基準値を選択することもできる。
【００４９】
前記送信装置５５０は、前記制御部５４０の制御に応じて、任意接近チャネルを介して基地局も送信する信号を生成する。すなわち、前記送信装置５５０は、前記制御部５４０で任意接近チャネルの送信を行うように制御する場合にのみ任意接近チャネルを介して基地局に送信する信号を無線資源を介して送信のための形態に変換して、前記送受切り替え器５００に提供する。例えば、前記送信装置５５０は、信号生成ブロック、チャネル符号ブロック、変調ブロック、ＲＦ送信ブロックなどを含んで構成される。前記チャネル符号ブロックは、変調器、インタリーバ及びチャネルエンコーダなどから構成される。前記変調ブロックは、無線通信システムが直交周波数分割多重方式を使用する場合、各副搬送波にデータをマッピングするためのＩＦＦＴ演算器などから構成される。前記ＲＦ送信ブロックは、フィルタ及びＲＦ前処理器などから構成される。
【００５０】
図示していないが、前記リモートノードは、逆方向チャネル利得を考慮して任意接近チャネルの送信に使用する送信電力を決定する電力制御部をさらに備えて構成される。このとき、前記電力制御部は、逆方向チャネル利得を考慮して、任意接近チャネルの送信電力を決定する。例えば、前記電力制御部は、逆方向チャネル利得に反比例するように、任意接近チャネルの送信に使用する送信電力を決定する。他の例として、前記電力制御部は、逆方向チャネルの瞬間的な利得に関係なく、任意接近チャネルの送信に使用する送信電力を一定のレベルに維持することもできる。ここで、一定のレベルは、ホストノードとリモートノードとの間の平均経路減衰と比例するように設定されることができる。
【００５１】
上述した実施の形態においてリモートノードは、順方向信号の受信電力を考慮して、任意接近チャネル送信の遂行有無を決定する。
他の実施の形態においてリモートノードは、順方向チャネルのフェージング値を考慮して、任意接近チャネル送信の遂行有無を決定することもできる。このとき、前記リモートノードは、下記の式１のように順方向チャネルのフェージング値を算出することができる。
Ｙ＝（瞬間的なパイロット受信電力）／（平均パイロットチャネル受信電力）・・・式１
【００５２】
式中、前記Ｙは、順方向チャネルのフェージング値を示す。
このとき、前記式１のように算出された順方向チャネルのフェージング値が基準値より大きい場合、リモートノードは、逆方向チャネル状態が任意接近チャネルの送信に適していると判断する。これにより、前記リモートノードは、逆方向任意接近チャネルの送信を行う。
【００５３】
一方、前記式１のように算出された順方向チャネルのフェージング値が基準値より小さいか、又は同じである場合、リモートノードは、逆方向チャネル状態が任意接近チャネルの送信に適していないと判断する。これにより、前記リモートノードは、逆方向任意接近チャネルの送信を行わない。
【００５４】
上述したように、無線通信システムのリモートノードで逆方向リンクのチャネル状態を考慮して、任意接近チャネルの送信を選択的に行なうことによって、逆方向接近チャネルの成功率を向上させることができ、逆方向接近チャネルを介して信号を送信するための端末の電力消費を減らすことができ、最大送信電力に制限された逆方向リンクのサービス領域を広めることができるという利点がある。
【００５５】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【符号の説明】
【００５６】
１００  ＡＰ０
１１０  ＡＰ１
１２０  ＴＰ−ＡＩ
１３０  ＡＩＣＨ
【図１】
0005951925.tif 000004
【図２】
0005951925.tif 000005
【図３】
0005951925.tif 000006
【図４】
0005951925.tif 000007
【図５】
0005951925.tif 000008
【図６】
0005951925.tif 000009